【事件の表示】
　特願２００２−　１７９２４「遊技機」拒絶査定不服審判事件〔平成１５年　７月２９日出願公開、特開２００３−２１０７９３〕について、次のとおり審決する。
【結　論】
　本件審判の請求は、成り立たない。
【理　由】
　
理由
第一、手続きの経緯
　本願は、平成１４年１月２８日の出願であって、平成１９年１２月１２日付けで拒絶理由が通知され、これに対し、平成２０年１月２８日付けで手続補正がなされ、同年２月１４日付けで拒絶査定がなされ、これに対し、同年３月２７日に拒絶査定不服の審判請求がなされるとともに、同年４月２１日付けで手続補正がなされ、その後、当審において、平成２１年９月１７日付けで、上記平成２０年４月２１日付けの手続補正を却下するとともに最後の拒絶理由が通知され、これに対し、平成２１年１１月２７日付け手続補正書によって明細書の一部が補正されたものである。
　
第二、平成２１年１１月２７日付けの手続補正についての補正却下の決定
［補正却下の決定の結論］
　平成２１年１１月２７日付けの手続補正（以下、「本件補正」という。）を却下する。
［理由］
　（１）補正前・後の本願発明　　
　補正前（平成２０年４月２１日付けの手続補正は既に却下されているので、平成２０年１月２８日付けの手続補正）の特許請求の範囲の請求項１乃至３の記載は以下のとおりである。
　「【請求項１】　外枠に側端部が軸支されて開閉可能に取り付けられ前面側に遊技盤が着脱可能に取り付けられる内枠と、
　前記内枠の前面に設けられ前記遊技盤の盤面を覆うガラス枠と、
　前記遊技盤の下方に配置されて前記内枠の前面に突設され球皿部に貯留した遊技球を一列に整列してその遊技球を前記盤面に打ち込む打球発射装置へと供給する打球供給皿と、
　前記球皿部の形状に沿って立設された外周壁の前面に配置され遊技に関連する操作を行う操作部と、
　前記操作部を操作する操作領域外に設けられ遊技に関連する情報を表示する表示部と、
　を有することを特徴とする遊技機。
　【請求項２】　前記操作領域外は前記打球供給皿の外周面の左側上面を含み前記表示部がその左側上面に配置されていることを特徴とする請求項１記載の遊技機。
　【請求項３】　前記操作領域外は前記ガラス枠前面の左側下部を含み前記表示部がその左側下部に配置されていることを特徴とする請求項１記載の遊技機。
　
　また、補正後の特許請求の範囲の記載は以下のとおりである。
　「【請求項１】　外枠に側端部が軸支されて開閉可能に取り付けられ前面側に遊技盤が着脱可能に取り付けられる内枠と、
　前記内枠の前面に設けられ前記遊技盤の盤面を覆うガラス枠と、
　前記遊技盤の下方に配置されて前記内枠の前面に突設され球皿部に貯留した遊技球を一列に整列してその遊技球を前記盤面に打ち込む打球発射装置へと供給する打球供給皿と、
　前記球皿部の形状に沿って立設された外周壁の前面
中央部
ボタン
　前記操作
ボタンを押圧
である前記打球供給皿の左側端部上面
　を有することを特徴とする遊技機。」（「下線」は変更箇所に対して当審で付したものである。）
　
　そうすると、本件補正は、
　イ）補正前の特許請求の範囲の請求項１及び３を削除し、
　ロ）補正前の特許請求の範囲の請求項２が引用する請求項１に記載された発明を特定するために必要な事項である「遊技に関連する操作を行う」部材について、「操作部」を「操作ボタン」と限定するとともに、該部材の配置について、「外周壁の前面に配置され」を「外周壁の前面中央部に配置され」と限定し、
　ハ）同「操作領域」について、「操作部を操作する操作領域」を「操作ボタンを押圧する操作領域」と限定し、
　ニ）同「表示部」について、「操作領域外は（前記）打球供給皿の外周面の左側上面を含み（前記）表示部がその左側上面に配置されている」を「操作領域外である（前記）打球供給皿の左側端部上面に設けられ」と限定するものであるから、本件補正は、平成１８年法律第５５号改正附則第３条第１項によりなお従前の例によるとされる同法による改正前の特許法第１７条の２第４項第１号の請求項の削除及び同条同項第２号の特許請求の範囲の減縮を目的とするものに該当する。
　
　（２）そこで、本件補正後の請求項１に記載された発明（以下、「本願補正発明」という。）が特許出願の際独立して特許を受けることができるものであるのか（上記改正前の特許法第１７条の２第５項において準用する同法第１２６条第５項の規定に適合するか）について以下に検討する。
　
　（あ）刊行物に記載された発明
　刊行物１：特開２０００−２４５９３３号公報
　刊行物２：特開２０００−５４３０号公報
　刊行物３：特開平１０−２７２２５１号公報
　
　当審の拒絶理由に引用され、本願出願前に頒布された、特開２０００−２４５９３３号公報（以下「引用刊行物１」という。）には、次の事項が記載されている。
　（１−１）「【００１７】
【発明の実施の形態】次に、図面を参照して本発明の実施の形態について説明する。図１は本発明に係る打球供給皿が装着されたカード対応パチンコ機の正面図である。図１において、パチンコ機１は、外枠２と該外枠２の前面に開閉自在に設けられた前面枠３とを有する。前面枠３は中央部に窓孔を有する額縁状に形成されており、該窓孔の後部に遊技盤４が着脱可能に取り付けられている。また、窓孔の一側にはガラス扉枠５と前面板６とが開閉自在に設けられており、その前面板６の前面に本実施の形態に係る打球供給皿７が取り付けられている。また、前面枠３の下部には打球供給皿７の余剰球を貯留する下部貯留皿８と打球発射用の操作ハンドル９が設けられている。」、
　（１−２）「【００１９】図２は本実施の形態に係る打球供給皿７の斜視図、図３は皿本体１２からカバー部材１３を取り外した状態の斜視図、図４は図３の分解斜視図である。この打球供給皿７は、パチンコ球を貯留する皿本体１２と、該皿本体１２の前方部分を覆うカバー部材１３とから構成されている。皿本体１２は前記前面板６の前面に対向させる後側壁１４の上端に、上流側で前後幅が大きく下流側に向かって前後幅が次第に小さくなる皿部１５を一体に形成し、該皿部１５の前側壁１６の上端縁に上面壁２２を水平方向に延設している。また、皿部１５の下流側にはパチンコ球が一列に整列される整流部１７が形成されている。
【００２０】前記カバー部材１３は、皿本体１２を前方と下方から覆うように取り付けられるものであって、図４に示すように該カバー部材１３と皿本体１２との間に空間部が形成され、かつその上端部分が皿本体１２の上面壁２２前端に合致するように膨出湾曲して形成されている。そして、カバー部材１３の前面中央部分には球貸出操作部１８を臨ませるための横長の開口部１９が開設されており、前面の左右両側部には長溝状の透音孔２０が穿設されている。
【００２１】前記球貸出操作部１８は、図３に示すようにカバー部材１３の開口部１９に合致する形状及び大きさの球貸出操作基板２１と、該球貸出操作基板２１の前側に取り付けられる装飾板２３とからなる。球貸出操作基板２１の表面には７セグメント表示器からなるカード残高表示器２４、球貸出スイッチ釦２５、カード返却スイッチ釦２６が設けられている。前記装飾板２３にはカード残高表示器２４を透視し得るように透明な表示部２７が設けられ、その両側に球貸出スイッチ釦２５及びカード返却スイッチ釦２６を押圧するための透明な薄肉部２８，２８が形成されている。そして、球貸出操作基板２１と装飾板２３とは該装飾板２３の裏側に突設された取着用ボス２９，２９を球貸出操作基板２１の前面に当接させてねじ４１，４１で螺着することにより一体化される。なお、３０はスピーカーである。」。
　
　したがって、これらの記載をまとめると、引用刊行物１には、
「外枠２と該外枠２の前面に開閉自在に設けられた前面枠３とを有し、該前面枠３は中央部に窓孔を有する額縁状に形成され、該窓孔の後部に遊技盤４が着脱可能に取り付けられ、また、窓孔の一側にはガラス扉枠５と前面板６とが開閉自在に設けられ、その前面板６の前面に打球供給皿７が取り付けられている、カード対応パチンコ機１であって、
　前記打球供給皿７は、パチンコ球を貯留する皿本体１２と、該皿本体１２の前方部分を覆うカバー部材１３とから構成され、
　該皿本体１２は、前記前面板６の前面に対向させる後側壁１４の上端に、上流側で前後幅が大きく下流側に向かって前後幅が次第に小さくなる皿部１５を一体に形成し、該皿部１５の前側壁１６の上端縁に上面壁２２を水平方向に延設し、該皿部１５の下流側にはパチンコ球が一列に整列される整流部１７が形成され、
　該カバー部材１３の前面中央部分には球貸出操作部１８を臨ませるための横長の開口部１９が開設され、
　前記球貸出操作部１８は、カバー部材１３の開口部１９に合致する形状及び大きさの球貸出操作基板２１と、該球貸出操作基板２１の前側に取り付けられる装飾板２３とからなり、球貸出操作基板２１の表面には７セグメント表示器からなるカード残高表示器２４、球貸出スイッチ釦２５、カード返却スイッチ釦２６が設けられ、前記装飾板２３にはカード残高表示器２４を透視し得るように透明な表示部２７が設けられ、その両側に球貸出スイッチ釦２５及びカード返却スイッチ釦２６を押圧するための透明な薄肉部２８，２８が形成されている、
　カード対応パチンコ機１。」の発明（以下、「引用発明１」という。）が記載されていると認められる。
　
　当審の拒絶理由に引用され、本願出願前に頒布された、特開２０００−５４３０号公報（以下「引用刊行物２」という。）には、次の事項が記載されている。
　（２−１）「【請求項３】  請求項１または２記載の遊技機において、
前記貸出スイッチの操作部の輪郭と前記残高表示器の表示面の輪郭との距離が４ｃｍ以上離れていることを特徴とする遊技機。」、
　（２−２）「【００１４】また請求項３記載の遊技機は、請求項１または２記載の遊技機において、前記貸出スイッチの操作部の輪郭と前記残高表示器の表示面の輪郭との距離が４ｃｍ以上離れていることを特徴とする。貸出スイッチと残高表示器が接近していると、例えば貸出スイッチを操作しようとする遊技者の手あるいは指が残高表示器を隠してしまうおそれがある。しかし、貸出スイッチの操作部の輪郭と残高表示器の表示面の輪郭との距離を４ｃｍ以上離せば、貸出スイッチを操作しようとする遊技者の手あるいは指が残高表示器を隠してしまって、これを見えにくくするおそれはない。なお、手の大きさや指の太さには個人差があるので、できれば４ｃｍといわずに例えば５ｃｍ、８ｃｍあるいは１０ｃｍ以上離れさせるとよい。」、
　（２−３）「【００１７】
【実施例】図１に示すように、遊技機の一種である弾球遊技機としてのパチンコ機１０は、パチンコ機本体１０Ａとカードユニット１０Ｂとで構成されている。・・・
【００１８】パチンコ機本体１０Ａは、プラスチック製の本体枠１２、上下一対のヒンジ１４により本体枠１２に蝶着されているプラスチック製の中枠１６を備えており、これら本体枠１２及び中枠１６にて各部を支持する構造である。中枠１６は遊技盤２２を保持しており、その遊技盤２２の前面側は窓枠体２４及び窓枠体２４の背面側に保持されたガラス板２６によって覆われている。
【００１９】窓枠体２４は、その向かって左辺の背面側に配されたヒンジ（図示しない）を介して中枠１６に連結されており、そのヒンジを軸として開閉可能である。・・・
【００２０】窓枠体２４には円形の窓２８が設けられており、この窓２８からガラス板２６を透して遊技盤２２を視認することができる。遊技盤２２の窓２８の内側に対応する部分が遊技領域とされており、図示を省略するが、この遊技領域には公知の入賞装置、障害釘、障害風車等が設置されている。
【００２１】窓２８の周囲は、アーチ状の上装飾部３０とその内側に配された下装飾部３２とによって囲まれている。・・・
【００２２】下装飾部３２には、左右の山状部３８、４０が設けられ、それぞれに装飾パネル４２、４４が組み付けられている。装飾パネル４２、４４は互いに鏡像となる外形をしているが、左側の装飾パネル４２には残高表示器４６が取付けられている。・・・
【００２３】窓枠体２４の下方には、上受皿５２が向かって左辺の背面側に配されたヒンジ（図示しない）を介して中枠１６に連結されており、そのヒンジを軸として開閉可能である。・・・」、　
　（２−４）「【００２５】上受皿５２の下方においては、下受皿５６が、中枠１６の前面側に固着されている。・・・
【００２６】下受皿５６の左側には灰皿６３が取付けられ、下受皿５６のの右側には、発射装置９６を操作するための操作ダイヤル６２が中枠１６に取付けられている。また、操作ダイヤル６２の斜め上方には、貸出スイッチ６４と返却スイッチ６６が並んで設置されている。これら貸出スイッチ６４及び返却スイッチ６６は、押込操作するとオンになり、押込力が解除されるとオフに復帰する形式のスイッチである。貸出スイッチ６４及び返却スイッチ６６は、図２（ｂ）に示されるようにスイッチ基板６７に取付けられており、図示は省略するがそれぞれの表面には「貸出」、「返却」の文字が記載されている。そして、中枠１６の表面に取付けられたスイッチ枠６８の窓から貸出スイッチ６４及び返却スイッチ６６の頭部が露出しており、遊技者はこの頭部を押すことができる。」、
　（２−５）「【００４１】以上の通り、本実施例のパチンコ機１０は、貸出スイッチ６４及び返却スイッチ６６と残高表示器４６とを分離して配置するので、貸出スイッチ６４及び返却スイッチ６６は操作に好適な位置に、残高表示器４６は見やすい位置に配置することができ、操作性と視認性を共に良好にできる。また、返却スイッチ６６を貸出スイッチ６４に並置されているから、操作性は一層良好である。
【００４２】しかも、貸出スイッチ６４及び返却スイッチ６６は操作ダイヤル６２の近くに配されているので、遊技者は、操作ダイヤル６２から手を離さず、あるいは少し手を離すだけで貸出スイッチ６４及び返却スイッチ６６を操作できるので、これらの操作が煩わしくならない。一方、残高表示器４６は窓２８の左下隅に配されていて、非常に見やすい。」。　
　
　したがって、これらの記載をまとめると、引用刊行物２には、
「　貸出スイッチ６４を操作しようとする遊技者の手あるいは指が残高表示器４６を隠し見えにくくするおそれはないよう、貸出スイッチ６４の操作部の輪郭と前記残高表示器４６の表示面の輪郭との距離を４ｃｍ以上、例えば１０ｃｍ以上離れさせて、
　貸出スイッチ６４及び返却スイッチ６６は操作に好適な位置である操作ダイヤル６２の近くに配され、残高表示器４６は見やすい位置である窓２８の左下隅に配置されて、操作性と視認性を共に良好にできるパチンコ機１０であって、
　本体枠１２、本体枠１２に蝶着されている中枠１６を備え、
　中枠１６に連結される窓枠体２４には、ガラス板２６を透して遊技盤２２を視認することができる円形の窓２８が設けられており、
　窓２８の周囲は、アーチ状の上装飾部３０と下装飾部３２とによって囲まれ、下装飾部３２には、左右それぞれに装飾パネル４２、４４が組み付けられ、左側の装飾パネル４２には残高表示器４６が取付けられ、
　窓枠体２４の下方には上受皿５２が中枠１６に連結され、上受皿５２の下方には下受皿５６が中枠１６の前面側に固着され、下受皿５６の右側には操作ダイヤル６２が中枠１６に取付けられ、操作ダイヤル６２の斜め上方には押込操作するとオンになり押込力が解除されるとオフに復帰する貸出スイッチ６４と返却スイッチ６６が並んで設置されている、パチンコ機１０。」の発明（以下、「引用発明２」という。）が記載されていると認められる。
　　　
　当審の拒絶理由に引用され、本願出願前に頒布された、特開平１０−２７２２５１号公報（以下、「引用刊行物３」という。）には、以下の記載がある。
　（３−１）「【０００７】
【実施例】図１には、本発明に係る遊技機の一例としてのカード式パチンコ遊技機の実施例が示されている。この実施例では、遊技機としてのパチンコ遊技機１００と球貸処理装置（カードユニット）としての玉貸機２００とが対をなすように構成されており、各玉貸機２００にはカードリーダが内蔵され、玉貸機２００の前面パネル２１０には上記カードリーダに対応してカード挿排口２１１と、挿入されたカードの残高を表示する挿入残高表示器２２０、玉貸機が作動状態にあることを表示する有効表示ランプ２３０が設けられている。一方、パチンコ機１００には、前面パネル１１０に設けられている供給皿１２０の上面に、操作パネル１２１が形成され、この操作パネル１２１上に上記玉貸機２００に挿入されたカードの残高（有価データ）を表示する残高表示器１２２と、上記玉貸機２００に対し、貸し玉（遊技球）への変換の指令を与える球貸操作手段としての変換ボタン１２３と、カードの排出（返却）を指令する返却操作手段としての返却ボタン１２４と、上記変換ボタン１２３により変換された貸し玉数を表示する玉数表示器１２５が設けられている。」。　
　
　（３−２）また、カード式パチンコ遊技システムの一実施例を示す斜視図である【図１】には、「符号１２２及び１２５が付された部材が、符号１２０及び１２１が付された部材の左側に配置されている、即ち残高表示器１２２及び玉数表示器１２５が供給皿１２０及び操作パネル１２１における左側の部分に配置されている」事項が示されている。　
　　　　　
　したがって、これら（３−１）及び（３−２）の技術事項をまとめると、引用刊行物３には、
　「　カードリーダが内蔵されている玉貸機２００と対をなすように構成される、パチンコ遊技機１００であって、
　供給皿１２０の上面に形成される操作パネル１２１上における左側の部分に、上記玉貸機２００に挿入されたカードの残高（有価データ）を表示する残高表示器１２２と、上記玉貸機２００に対し、貸し玉（遊技球）への変換の指令を与える球貸操作手段としての変換ボタン１２３と、カードの排出（返却）を指令する返却操作手段としての返却ボタン１２４と、上記変換ボタン１２３により変換された貸し玉数を表示する玉数表示器１２５が設けられている、パチンコ遊技機１００。」の発明（以下、「引用発明３」という。）が記載されていると認められる。
　　　　　　　
　（い）本願補正発明と引用発明１との比較・検討
　（い−１）引用発明１の「外枠２」は本願補正発明の「外枠」に相当し、以下同様に「開閉自在に設けられ」は「開閉可能に取り付けられ」に、「遊技盤４」は「遊技盤」に、「遊技盤４が着脱可能に取り付けられ」は「遊技盤が着脱可能に取り付けられ」に、「前面枠３」は「内枠」に、「ガラス扉枠５」は「ガラス枠」に、「打球供給皿７」は「打球供給皿」に、「球貸出スイッチ釦２５」及び「カード返却スイッチ釦２６」は「遊技に関連する操作を行う操作ボタン」に、「カード残高表示器２４」は「遊技に関連する情報を表示する表示部」に、「カード対応パチンコ機１」は「遊技機」に、それぞれ相当する。
　（い−２）引用発明１の「外枠２の前面に開閉自在に設けられた前面枠３」について検討すると、「外枠に側端部が軸支されて取り付けられる内枠」は遊技機において普通に採用されている技術事項であるから、引用発明１は本願補正発明の「外枠に側端部が軸支されて開閉可能に取り付けられる内枠」に相当する事項を備えているといえる。
　（い−３）引用発明１の「窓孔の後部に着脱可能に取り付けられ」る「遊技盤４」について検討すると、「窓孔」は「前面枠３の中央部に形成され」ているから、引用発明１は本願補正発明の「遊技盤が着脱可能に取り付けられる内枠」に相当する事項を備えているといえる。
　（い−４）引用発明１の「窓孔の一側に開閉自在に設けられ」る「ガラス扉枠５」について検討すると、「窓孔」は「前面枠３の中央部に形成され」ているから、「前面枠３の一側に設けられるガラス扉枠５」と表現することができる。そして、ガラス扉枠が遊技盤の盤面の前面を覆うように設けられることは遊技機において普通に採用されている技術事項であるから、上記「（い−３）」に記載した、引用発明１が備えている「遊技盤が着脱可能に取り付けられる内枠」と併せ考慮すれば、引用発明１は本願補正発明の「内枠の前面に設けられ遊技盤の盤面を覆うガラス枠」に相当する事項を備えているといえる。
　（い−５）引用発明１の「前面板６の前面に取り付けられている打球供給皿７」及び「パチンコ球を貯留する皿本体１２と、該皿本体１２の前方部分を覆うカバー部材１３とから構成され」る「打球供給皿７」について検討すると、
　ａ）前面板６は窓孔の一側に設けられ、窓孔は前面枠３の中央部に形成されているから、「前面枠３に設けられる前面板６の前面に取り付けられている打球供給皿７」といえ、
　ｂ）パチンコ球を貯留する皿本体１２には、皿部１５と該皿部１５の下流側にパチンコ球が一列に整列される整流部１７が形成されているから、
　ｃ）これらの事項と、遊技機における技術常識である、「遊技盤の下方に配置されて前面に突設される打球供給皿」及び「遊技球を遊技盤の盤面に打ち込む打球発射装置へと供給する打球供給皿」の事項とを併せると、引用発明１は本願補正発明の「遊技盤の下方に配置されて内枠の前面に突設され球皿部に貯留した遊技球を一列に整列してその遊技球を遊技盤の盤面に打ち込む打球発射装置へと供給する打球供給皿」に相当する事項を備えているといえる。
　（い−６）引用発明１の「球貸出スイッチ釦２５」及び「カード返却スイッチ釦２６」について検討すると、当該スイッチ釦は「球貸出操作部１８」を構成する「球貸出操作基板２１の表面に設けられ」、該「球貸出操作部１８」は「カバー部材１３の前面中央部分に臨ませ」て設けられ、該「カバー部材１３」は「皿本体１２の前方部分を覆う」ものであるから、引用発明１は本願補正発明の「球皿部の形状に沿って立設された外周壁の前面中央部に配置され遊技に関連する操作を行う操作ボタン」に相当する事項を備えているといえる。
　（い−７）引用発明１の「カード残高表示器２４」は、「球貸出操作部１８」を構成する「球貸出操作基板２１の表面に設けられ」、該「球貸出操作部１８」は「カバー部材１３の前面中央部分に臨ませ」て設けられ、該「カバー部材１３」は「打球供給皿７」を構成するものであるから、引用発明１は「打球供給皿７の前面中央部分に臨ませて設けられる、カード残高表示器２４」の技術事項を備えているといえる。そして、当該技術事項と本願補正発明の「（前記）操作ボタンを押圧する操作領域外である（前記）打球供給皿の左側端部上面に設けられ遊技に関連する情報を表示する表示部」とを比較すると、両者は「打球供給皿に設けられ遊技に関連する情報を表示する表示部」において一致している。
　　　
　そうすると、両者の一致点及び相違点は次のとおりである。
　一致点
　外枠に側端部が軸支されて開閉可能に取り付けられ、遊技盤が着脱可能に取り付けられる内枠と、
　前記内枠の前面に設けられ前記遊技盤の盤面を覆うガラス枠と、
　前記遊技盤の下方に配置されて前記内枠の前面に突設され球皿部に貯留した遊技球を一列に整列してその遊技球を前記盤面に打ち込む打球発射装置へと供給する打球供給皿と、
　前記球皿部の形状に沿って立設された外周壁の前面中央部に配置され遊技に関連する操作を行う操作ボタンと、
　前記打球供給皿に設けられ遊技に関連する情報を表示する表示部と、
　を有する遊技機。　
　
　相違点（Ａ）
　遊技盤が、本願補正発明では内枠の前面側に取り付けられるのに対し、引用発明１では「前面枠３の窓孔の後部に取り付け」、即ち内枠の後部に取り付けたものである点
　相違点（Ｂ）
　表示部が、本願補正発明では操作ボタンを押圧する操作領域外である打球供給皿の左側端部上面に設けられるのに対し、引用発明１では打球供給皿の前面中央部分に設けられる点
　　
　そこで、上記相違点（Ａ）について検討すると、遊技盤を内枠の前後面のどちら側の面に取り付けるかは、内枠に取り付けられる他の部材との配置上の関連性や組み立て時の容易性、点検時の操作性などを考慮して、当業者が適宜なし得る設計上の事項であるから、相違点（Ａ）に係る本願補正発明を特定する事項とすることは、当業者が容易になし得たものである。
　次に、相違点（Ｂ）について検討する。　
　引用発明２には「表示部（残高表示器４６）が、操作ボタン（貸出スイッチ６４）を押圧（押込操作）する操作領域（遊技者の手あるいは指が残高表示器４６を隠し見えにくくする）外に設けられる遊技機（パチンコ機１０）」が記載され、また引用発明３には「表示部（残高表示器１２２及び玉数表示器１２５）が、打球供給皿（供給皿１２０）の外周面の左側上面（供給皿１２０の上面に形成される操作パネル１２１上における左側の部分）に設けられる遊技機（パチンコ遊技機１００）」が記載されている。そして、表示部を遊技機のどの位置に設けるかは当業者が適宜なし得る設計上の事項であり、また引用発明１乃至引用発明３は「操作ボタンと表示部とを有する遊技機」において共通し、さらに引用発明１の打球供給皿（打球供給皿７）は「上面（上面壁２２）」を備えていることを考慮すれば、引用発明１の「打球供給皿の前面中央部分に設けられる表示部」に替えて、引用発明２の「操作領域外に設けられる表示部」に基づき、当該「操作領域外」として、引用発明３の「打球供給皿の外周面の左側上面」を適用する際に、「打球供給皿の左側端部上面」とし、相違点（Ｂ）に係る本願補正発明を特定する事項とすることは、引用発明１乃至引用発明３に基づいて当業者が容易になし得たものである。
　
　そして、効果の点においても、引用発明２は「操作ボタン（貸出スイッチ６４及び返却スイッチ６６）の操作性と表示部（残高表示器４６）の視認性を共に良好にできる」ものであるから、本願補正発明が格別の効果を有するとは認められない。
　
　したがって、本願補正発明は、引用発明１乃至引用発明３に基いて当業者が容易に発明をすることができたものであるから、特許出願の際独立して特許を受けることができないものである。　
　　
　（う）補正却下の決定のむすび
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三、本願発明について
　平成２１年１１月２７日付けの手続補正は上記のとおり却下されることとなり、また平成２０年４月２１日付けの手続補正は既に却下されているので、本願の請求項１乃至３に係る発明は、上記平成２０年１月２８日付けで補正された明細書の記載からみて、その特許請求の範囲の請求項１乃至３に記載された事項により特定されるものと認められるところ、その請求項１及び２に記載された発明を再掲すると、次のとおりのものである。
　「【請求項１】　外枠に側端部が軸支されて開閉可能に取り付けられ前面側に遊技盤が着脱可能に取り付けられる内枠と、
　前記内枠の前面に設けられ前記遊技盤の盤面を覆うガラス枠と、
　前記遊技盤の下方に配置されて前記内枠の前面に突設され球皿部に貯留した遊技球を一列に整列してその遊技球を前記盤面に打ち込む打球発射装置へと供給する打球供給皿と、
　前記球皿部の形状に沿って立設された外周壁の前面に配置され遊技に関連する操作を行う操作部と、
　前記操作部を操作する操作領域外に設けられ遊技に関連する情報を表示する表示部と、
　を有することを特徴とする遊技機（以下、「本願発明１」という。）。
　【請求項２】　前記操作領域外は前記打球供給皿の外周面の左側上面を含み前記表示部がその左側上面に配置されていることを特徴とする請求項１記載の遊技機（以下、「本願発明２」という。）。
　　
　（ア）刊行物に記載された発明
　引用刊行物１：特開２０００−２４５９３３号公報
　引用刊行物２：特開２０００−５４３０号公報
　引用刊行物３：特開平１０−２７２２５１号公報
　
　引用刊行物１乃至３並びにその記載事項は、前記「第二、［理由］（２）（あ）刊行物に記載された発明」に記載したとおりであるから、援用する。
　
　（イ）本願発明２と引用発明１との対比・判断
　本願補正発明は、前記「第二、［理由］（１）補正前・後の本願発明」で検討したように、
　（イ−１）本願発明２が引用する本願発明１を特定するために必要な事項である「遊技に関連する操作を行う」部材について、「操作部」を「操作ボタン」と限定するとともに、該部材の配置について、「外周壁の前面に配置され」を「外周壁の前面中央部に配置され」と限定し、
　（イ−２）同「操作領域」について、「操作部を操作する操作領域」を「操作ボタンを押圧する操作領域」と限定し、
　（イ−３）同「表示部」について、「操作領域外は（前記）打球供給皿の外周面の左側上面を含み（前記）表示部がその左側上面に配置されている」を「操作領域外である（前記）打球供給皿の左側端部上面に設けられ」と限定するものである。
　そうすると、本願補正発明は、本願発明２の発明特定事項を全て含み、さらに他の発明特定事項を付加したものに相当するものであって、その本願補正発明が、前記「第二、［理由］（２）（い）本願補正発明と引用発明１との比較・検討」に記載したとおり、引用発明１乃至引用発明３に基づいて、当業者が容易に発明をすることができたものであるから、本願発明２も、同様の理由により、引用発明１乃至引用発明３に基づいて、当業者が容易に発明をすることができたものである。
　
　（ウ）むすび
　以上のとおり、本願発明２は、引用発明１乃至引用発明３に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。